(57)【要約】  折畳み状態と展開状態との間で動くように適合された上部区画(11)と基部区画(2)を有する折畳み式のショッピングカート(1)である。上部区画(11)が中間継手(10)を通る細長い支持部材(20)を介して基部区画(2)に接続しているため、上部区画(11)と基部区画(2)は展開状態と折畳み状態との間で同期された状態で動くことができる。基部区画（2）は細長い支持部材（20）の下端部に固定された地面係合車輪（47、48）を備える。細長い支持部材（20）の下端部は外側接続部材（5）と共に幾何学的配置を形成する内側接続部材（6）を介して、アクチュエータ（7）の下端部（9）に枢動可能に接続され、アクチュエータ（7）の垂直の動きによってカートが折畳み状態から展開状態へと動く。外側接続部材（5）はカート（1）を展開位置で係止する係止メカニズム（30）を含む。アクチュエータは継手（10）に固定されたスリーブ（14）内で自由に動く。外側接続部材（5）と内側接続部材（6）は布製トレイ（35）を支持する。上部区画はハンドル（21）と角部のバッグ支持体（25）を含む。四つの三角形のショッピングバッグ（23）は補強要素（24）を備え、それらの端部は角部支持体（25）と係合する。バッグ（23）の上側内縁部（45）はフック（40）と係合する切欠き（46）を備える。ショッピングバッグ（23）はストラップ（44）と切欠き（26）のところにある補強デバイス（24）を把持することによって、角部支持体（25）と中央のフック（40）から取外し可能である。【選択図】図１
2012521923.tif 000002
【特許請求の範囲】
【請求項１】
折畳み状態とカートの安定した基部を提供する展開状態との間で動くように適合された地面係合部品を備えた基部区画を含み、該地面係合部品が同期して動くように相互接続された、カート。
【請求項２】
前記基部区画の上方に接続可能に延在する上部区画と、該上部区画及び該基部区画が同期した動きを有するように、前記上部区画及び前記基部区画の中間にある継手とを更に含む、請求項1に記載のカート。
【請求項３】
動作可能に接続されたアクチュエータを更に含み、該アクチュエータの運動によって前記地面係合部品が前記折畳み状態と前記展開状態との間で動く、請求項2に記載のカート。
【請求項４】
前記アクチュエータがほぼ垂直方向で自由に動くように、前記アクチュエータが前記継手を介して上部区画及び基部区画を横断する、請求項3に記載のカート。
【請求項５】
前記アクチュエータが内部を通るスリーブを更に含む、請求項3又は4に記載のカート。
【請求項６】
前記スリーブが、前記アクチュエータと前記スリーブの相対的な動きを可能にする堅く固定された継手である、請求項5に記載のカート。
【請求項７】
相対的な動きを可能にする軽い摩擦嵌めをもたらすように、前記アクチュエータ及び前記スリーブの断面がほぼ一致している、請求項6に記載のカート。
【請求項８】
前記基部区画及び前記上部区画が、前記継手を介して該上部区画と該基部区画との間を動作可能に横断する細長い支持部材を含む、請求項3から7のいずれか一項に記載のカート。
【請求項９】
前記アクチュエータの運動によって前記細長い支持部材が前記継手を中心にして枢動して、前記地面係合部品が前記折畳み状態と前記展開状態との間で動く、請求項8に記載のカート。
【請求項１０】
前記基部区画が、前記アクチュエータに動作可能に接続された内側部材を更に含み、それによって前記アクチュエータのほぼ垂直の運動が前記地面係合部品の少なくとも一つ又は前記細長い支持部材に伝達される、請求項3から請求項9のいずれか一項に記載のカート。
【請求項１１】
前記基部区画が前記地面係合部品を動作可能に接続する外側部材を更に含み、前記外側部材が係止メカニズムを含み、それによって前記地面係合部品が前記展開位置へと係止される、請求項10に記載のカート。
【請求項１２】
前記細長い支持部材、前記内側部材、及び前記アクチュエータの幾何学的組合せが三角形の構造を形成する、請求項11に記載のカート。
【請求項１３】
複数の前記内側部材、前記外側部材、及び前記細長い支持部材と前記アクチュエータとの幾何学的配置が前記継手を頂点とする四面体を形成する、該複数の前記内側部材、該外側部材、及び該細長い支持部材を更に含む、請求項11に記載のカート。
【請求項１４】
地面係合部品が車輪の形態である、請求項1から13のいずれか一項に記載のカート。
【請求項１５】
前記基部区画が、一組が前記カートの前方角部に位置し、一組が前記カートの後方角部にある二組の車輪を含む、請求項14に記載のカート。
【請求項１６】
前記カートを操縦できるように、前記二組の車輪の少なくとも一方が枢動する、請求項15に記載のカート。
【請求項１７】
前記継手が、前記細長い支持部材に対してその端部の中間で接続する枢動点を有する、請求項8から13のいずれか一項に記載のカート。
【請求項１８】
前記継手が、前記枢動点が周辺に位置するカラーの形態であり、それによって前記アクチュエータが前記カラーの中央を貫通することができる、請求項17に記載のカート。
【請求項１９】
前記カラーがほぼ正方形であり、該正方形の各面が前記細長い支持部材に動作可能に接続する枢動点を含む、請求項18に記載のカート。
【請求項２０】
前記アクチュエータが動作可能に使用するためのハンドル又はストラップを有する、請求項3から請求項13のいずれか一項に記載のカート。
【請求項２１】
前記カートが、収納コンパートメント、トレイ、又はバッグを支持するのに使用される、請求項8から請求項13のいずれか一項に記載のカート。
【請求項２２】
前記上部区画及び基部区画の少なくとも一方が、前記収納コンパートメント、前記トレイ、若しくは前記バッグを取り付けるフック、隆起、又はチャネルを含む、請求項21に記載のカート。
【請求項２３】
前記フック、前記隆起、又は前記チャネルが前記細長い支持部材に対する上端部に位置している、請求項22に記載のカート。
【請求項２４】
前記収納コンパートメント、前記トレイ、又は前記バッグが取外し可能である、請求項22に記載のカート。
【請求項２５】
前記収納コンパートメント、前記トレイ、又は前記バッグが、前記細長い支持部材によって提供される空間に合致する形状を有する、請求項21から23のいずれか一項に記載のカート。
【請求項２６】
前記構造の前記上部区画が、バッグの形状を保持する補強要素を備えた四つの取外し可能な素材のバッグを含み、
前記基部が、コンパートメント、トレイ、又はバッグなどの更なる保管媒体を含む設備を有する、請求項8から請求項13のいずれか一項に記載のカート。
【請求項２７】
実質的に図面及び/又は実施例を参照して記載されるようなカート。
【発明の詳細な説明】
【技術分野】
【０００１】
本発明は、一般にカートに関するものである。
【背景技術】
【０００２】
商店、スーパーマーケット、又はショッピングセンタでの顧客は、商店から目的地へ物品を運んで、それら物品を荷降ろしするのにカートを必要とする場合が多い。この目的地は、すぐ近くの駐車場などの近接した場所か、或いは歩道、道路、公共交通機関、又はそれらの組合せによって到達する住宅地など、かなり離れた場所であることがある。
【０００３】
一般に、ショッピングセンタは、ショッピングセンタの敷地内で使用してもよいショッピングカートを顧客に支給する。多くの場合、それらのショッピングカートは、物品を目的地へと運搬する必要がある顧客によって、ショッピングセンタの敷地から持ち出される。顧客は、次に買物をするときまでカートを再び必要とすることがないので、カートを返却しない場合が多い。
【０００４】
より大きな問題として、顧客が公共交通機関による移動を選択した場合、その顧客は移動行程の少なくとも一部分は物品を運搬しなければならない。目的地に着くと、顧客はカートを保管したいと考えることがあるので、小型で軽量の保管可能なカートが有利である。
【０００５】
更に、スーパーマーケットがビニール袋を徐々に廃止し、顧客がビニール袋の代金を支払うか、或いは自分でバッグを持ってくることを求めるようになることが予想される。また、大型スーパーマーケットが異なる請求モードを導入すること、例えば、顧客がセンサを通過すると請求がなされるようになることが予想される。
【発明の概要】
【発明が解決しようとする課題】
【０００６】
したがって、上述の問題の一つ又は複数を緩和するため、改善されたショッピングカート及びそのショッピングカート用の構成要素を提供することが求められている。
【課題を解決するための手段】
【０００７】
一つの広範な形態では、折畳み状態とカートの安定した基部を提供する展開状態との間で動くように適合された地面係合部品を備えた基部区画を含み、地面係合部品が同期して動くように相互接続された、カートが提供される。
【０００８】
一つの形態では、カートは、基部区画の上方に接続可能に延在する上部区画と、上部区画及び基部区画が同期した動きを有するように、上部区画及び基部区画の中間にある継手とを更に含む。
【０００９】
別の形態では、カートは、動作可能に接続されたアクチュエータを更に含み、アクチュエータの運動によって地面係合部品が折畳み状態と展開状態との間で動く。
【００１０】
別の形態では、アクチュエータがほぼ垂直方向で自由に動くように、アクチュエータは継手を介して上部区画及び基部区画を横断する。
【００１１】
別の形態では、カートは、アクチュエータが内部を通るスリーブを含む。
【００１２】
更に別の形態では、スリーブは、アクチュエータとスリーブの相対的な動きを可能にする堅く固定された継手である。
【００１３】
更に別の形態では、相対的な動きを可能にする軽い摩擦嵌めをもたらすように、アクチュエータ及びスリーブの断面はほぼ一致する。
【００１４】
一つの形態では、基部区画及び上部区画は、継手を介して上部区画と基部区画との間を動作可能に横断する細長い支持部材を含む。
【００１５】
別の形態では、アクチュエータの運動によって細長い支持部材が継手を中心にして枢動して、地面係合部品が折畳み状態と展開状態との間で動く。
【００１６】
一実施形態では、カートの基部区画は、アクチュエータに動作可能に接続された内側部材を更に含み、それによってアクチュエータのほぼ垂直の運動が地面係合部品の少なくとも一つ又は細長い支持部材に伝達される。
【００１７】
別の実施形態では、カートの基部区画は、地面係合部品を動作可能に接続する外側部材を更に含み、外側部材は係止メカニズムを含み、それによって地面係合部品が展開位置へと係止される。
【００１８】
一つの形態では、細長い支持部材と内側部材及びアクチュエータとの支持する幾何学的組合せは三角形の構造を形成する。
【００１９】
別の形態では、複数の内側部材、外側部材、及び細長い支持部材とアクチュエータとの幾何学的配置など、複数の内側部材、外側部材、及び細長い支持部材を更に含むカートは、継手を頂点とする四面体を形成する。
【００２０】
一実施形態では、カートは車輪の形態である地面係合部品を有してもよい。
【００２１】
別の実施形態では、基部区画は、一組がカートの前方角部に位置し、一組がカートの後方角部にある二組の車輪を含む。
【００２２】
別の実施形態では、カートを操縦できるように、二組の車輪の少なくとも一方が枢動する。
【００２３】
一つの形態では、継手は、細長い支持部材に対してその端部の中間で接続する枢動点を有する。
【００２４】
別の形態では、継手は、枢動点が周辺に位置するカラーの形態であり、それによってアクチュエータがカラーの中央を貫通することができる。
【００２５】
別の形態では、カラーはほぼ正方形であり、正方形の各面は細長い支持部材に動作可能に接続する枢動点を含む。
【００２６】
好ましくは、カートは、収納コンパートメント、トレイ、又はバッグを支持するのに使用される。
【００２７】
好ましくは、細長い支持部材は、収納コンパートメント、トレイ、若しくはバッグを取り付けるフック、隆起、又はチャネルを更に含む。
【００２８】
より好ましくは、フック、隆起、又はチャネルは細長い支持部材に対する上端部に位置する。
【００２９】
より好ましくは、収納コンパートメント、トレイ、又はバッグは取外し可能である。
【００３０】
更により好ましくは、収納コンパートメント、トレイ、又はバッグは、細長い支持部材によって提供される空間に合致する形状を有する。
【００３１】
好ましくは、カートの上部部分は、バッグの形状を保持する補強要素を備えた四つの取外し可能な素材のバッグを含み、基部は、コンパートメント、トレイ、又はバッグなどの更なる保管媒体を含む設備を有する。
【００３２】
本発明を、単に非限定例として、添付図面を参照して記載する。
【図面の簡単な説明】
【００３３】
【図１】カートの斜視図である。
【図２】カートの上部区画から四つのショッピングバッグが吊り下げられた、図1のカートの別の斜視図である。
【図３】部分的に折り畳まれた形状で示される、バッグ又は収納コンパートメントを除いた図1のカートの斜視図である。
【図４】完全に折り畳まれた状態で示されるカートの斜視図である。
【図５ａ】下部トレイを備えたショッピングカートの斜視図である。
【図５ｂ】下部トレイを備えたショッピングカートの側面図である。
【図６】カートと共に使用されるバッグを示す図である。
【図７】カートの下部ヒンジアセンブリを示す図である。
【図８ａ】カートの前輪アセンブリを示す図である。
【図８ｂ】カートの後輪アセンブリを示す図である。
【図９】カートの係止メカニズムを示す図である
【図１０ａ】アクチュエータの端部形状を示す図である。
【図１０ｂ】カートのバッグハンドル及び切欠きを示す図である。
【図１１ａ】カートの継手アセンブリの側面図である。
【図１１ｂ】カートの継手アセンブリの平面図である。
【発明を実施するための形態】
【００３４】
図1を参照すると、好ましくはショッピングカートの形態である、地面係合部品3を備えた基部区画2を含むカート1が示される。基部区画2は、外側接続部材5及び内側接続部材6を含む関節式の基部フレーム4で構成され、内側接続部材6は、丁番点8においてアクチュエータ7に丁番式で接合される。アクチュエータ7は、ほぼ垂直の向きで設けられ、下端部9から継手10まで、且つカートの上部区画11を通って延在する。アクチュエータ7の頂部12はストラップ13を有し、継手10とストラップ13との間でスリーブ14によってアクチュエータ7が収容される。基部フレーム4の一部を形成する細長い支持部材20は、継手10を介して地面係合部品3から上向きに延在して、ハンドル21を支持すると共にショッピングバッグ23の取付け点22を成す。
【００３５】
細長い支持部材20、内側接続部材6、及びアクチュエータ7それぞれの幾何学的組合せは、図1に示されるように、三角形の構造を形成する。内側部材6、外側接続部材5、及び細長い支持部材20の組合せは、頂点が継手10に近接した複数のほぼ四面体の構造が形成されて、実質的に剛性の基部区画2を備えたカート1を提供するように配置される。
【００３６】
図2は、関連する角部支持体25に着脱可能に装着される補強要素24に取り付けられる四つのショッピングバッグ23を備えたカートを示す。ショッピングバッグ23は切欠き26も含み、普通なら使い捨てのビニール製ショッピングバッグに対処するショッピングセンタのレジなどで、バッグ23を持ち運ぶ、又は下げることができる。
【００３７】
図3を参照すると、カート1が部分的に折り畳まれた状態で示される。図1に示される状態から図3に示される状態へとカートを動かすためには、最初にバッグ23を取り外し、次に、外側接続部材5の端部の中間に設けられた係止メカニズム30を解除する。アクチュエータ7をストラップ13によって引き上げると、内側部材6が丁番点8を中心にして枢動して、アクチュエータ7を上向きに動かすことができる。内側部材6の動作によって、地面係合部品3が継手10を中心にして細長い部材20と共に枢動し、それによってカート1を図4に示されるような折畳み状態へと動かすことができる。このように、アクチュエータ7の動作によって、内側接続部材6、外側接続部材5、及び細長い部材20の同期した動きがもたらされる。
【００３８】
図4を参照すると、折畳み状態のカート1が示され、ここでは、アクチュエータ7はスリーブ14から完全に延ばされ、細長い支持部材20が継手10を中心にして枢動し、それによって継手10の上方及び下方の両方の遠位端がひとまとめにされ、したがって、ハンドル21、取付け点22、及び地面係合部品3がひとまとめにされて折畳み状態となっている。
【００３９】
図5を参照すると、布製トレイ35を備えたカート1の基部区画2が示され、ここでは、布製トレイ35の外周37の頂部36は外側接続部材5に固定され、中心38はアクチュエータ7の底部に固定されて、布製トレイ35が内側接続部材6の上に載置されている。内側接続部材6と外側接続部材5との間の垂直方向の間隔によって布製トレイ35の深さが決まる。布製トレイ35は切欠き39を有して、係止メカニズム30の関節接合を可能にしている。
【００４０】
図6を参照すると、アクチュエータ7から突出するフック40などに取り付けるための第2の開口部を備えたほぼ三角形の形状を有するものとして、ショッピングバッグ23がより詳細に示される。ショッピングバッグ23の上側外周41は、角部支持体25に取外し可能に取り付けるように適合された補強要素24を含み、下側外周42は布製補強材43を有する。ショッピングバッグ23は、バッグを持ち上げてカート1に出し入れするためのハンドル44を有し、アクチュエータ7に最も近接したハンドル44とバッグ23の上側内縁部45との間の領域は、フック40に取り付けるための切欠き46を有する。
【００４１】
図7を参照すると、内側接続部材6に対するアクチュエータ7の接続がより明瞭に示される。アクチュエータ7の上向きの運動によって、地面係合部品3を内向きに引っ張る張力が内側接続部材8に生じて、図4に示されるような折畳み状態へと動かすのが容易になる。
【００４２】
図8を参照すると、ここでは前輪47及び後輪48の形態である地面係合部品3が示される。前輪47は、図1に示されるハンドル21とは反対側にあるので前輪として区別される。前輪47は、細長い支持部材20の関連する端部49に枢動可能に接続されて、カートを操縦できるようにしている。後輪48は、細長い支持部材20の関連する端部50に堅く接続される。細長い支持部材20の端部49及び50に近接した領域は、ほぼ垂直の向きに曲げられており、前輪47及び後輪48の取付けが可能になっている。ブリッジ要素60の中央は細長い支持部材20に接続され、ブリッジ要素60の端部は枢動点61で基部区画2の外側接続部材5に枢動可能に接続される。
【００４３】
図9は、外側接続部材5の端部の中間に位置する係止メカニズム30の更なる詳細を示す。外側接続部材は、ブリッジ要素60に枢動可能に連結されるので、係止メカニズム30が係止されると、地面係合部品3は図1に示されるような展開位置で保持される。
【００４４】
図10は、図1に示されるようなアクチュエータ7及びそれに取り付けられたストラップ13の更なる詳細を示す。アクチュエータの頂部12は、アクチュエータ7を操作するストラップ13と、ショッピングバッグ23を下げるフック40との両方を有する。
【００４５】
図11を参照すると、継手10は、細長い支持部材20と枢動接続するように、四つの各面63の中央に四つの枢動点62が配置された、ほぼ正方形の断面を有する。四つの面63はそれぞれ、中を通る細長い支持部材20の円形断面65にほぼ正接する平らな内表面64を有する。
【００４６】
スリーブ14は、正方形の断面と、継手10の縦軸と並ぶ縦軸とを有する。スリーブ14の側面は継手10に平行であり、スリーブ14の側面と継手10の側面との間の距離は、細長い支持部材20の断面65の外径にほぼ等しい。これによって、細長い支持部材20がスリーブ14と継手10との間の隙間に入ることができる。
【００４７】
アクチュエータ7は、スリーブ14の断面にほぼ一致する断面を有するので、アクチュエータ7の外面はスリーブ14の内面に平行である。スリーブ14及びアクチュエータ7は軽い摩擦嵌めを有するので、自由に動くことができる。
【００４８】
カート1が図1に示されるような展開状態と図4に示されるような折畳み状態との間で動くとき、枢動点62によって細長い支持部材20が枢動できるようになっている。カート1が展開するにつれて、細長い部材20は枢動点62を中心にして枢動して、継手10の周囲と細長い部材20が当接してそれ以上の相対移動ができなくなるまで、それらの間の隙間が低減される。
【００４９】
折畳み状態と展開状態との間の動きに関して記載してきたような折畳み式カートは、アクチュエータの使用によって容易になり、折畳み状態は持ち運び及び保管が簡単であるという利点を提供する。カート構造は、全体構造を軽量にすると共に持ち運びを更に簡単にする、アルミニウム及び/又は他の軽量構成要素から作られてもよい。カート構造は、包装又は保管の際に取り外されてもよい取外し可能なショッピングバッグを組み込み、有利には、各バッグは比較的サイズが小さいので、例えばショッピングセンタのレジにおいて、又はカートを車から降ろすときの取扱いが簡単になる。更に、将来的にはポリ袋が徐々に廃止されるか、又は使用料が派生する可能性があるので、カートが着脱式の再使用可能なバッグを備えることが有利になり得る。
【００５０】
本発明を単に非限定例として記載してきたが、記載した本発明の趣旨及び範囲から逸脱することなく、多くの修正及び変形が成されてもよい。
【図１】
2012521923.tif 000003
【図２】
2012521923.tif 000004
【図３】
2012521923.tif 000005
【図４】
2012521923.tif 000006
【図５ａ】
2012521923.tif 000007
【図５ｂ】
2012521923.tif 000008
【図６】
2012521923.tif 000009
【図７】
2012521923.tif 000010
【図８ａ】
2012521923.tif 000011
【図８ｂ】
2012521923.tif 000012
【図９】
2012521923.tif 000013
【図１０ａ】
2012521923.tif 000014
【図１０ｂ】
2012521923.tif 000015
【図１１ａ】
2012521923.tif 000016
【図１１ｂ】
2012521923.tif 000017
【手続補正書】
【提出日】平成23年11月29日(2011.11.29)
【手続補正１】
【補正対象書類名】特許請求の範囲
【補正対象項目名】全文
【補正方法】変更
【補正の内容】
【特許請求の範囲】
【請求項１】
折畳み状態とカートの安定した基部を提供する展開状態との間で動くように適合された地面係合部品を備え、前記地面係合部品が同期して動くように相互接続された、基部区画と、
前記基部区画の上方に接続可能に延在する上部区画と、
前記上部区画及び前記基部区画が同期した動きを有するように、前記上部区画及び前記基部区画の中間にある継手と、
動作可能に接続されたアクチュエータであって、該アクチュエータの運動によって前記地面係合部品を前記折畳み状態と前記展開状態との間で動かし、ほぼ垂直方向で自由に動くように、前記継手を介して前記上部区画及び前記基部区画を横断するアクチュエータとを備える、カート。
【請求項２】
前記アクチュエータが内部を通るスリーブを更に備える、請求項1に記載のカート。
【請求項３】
前記スリーブが、前記アクチュエータと該スリーブの相対的な動きを可能にする堅く固定された継手である、請求項2に記載のカート。
【請求項４】
相対的な動きを可能にする軽い摩擦嵌めをもたらすように、前記アクチュエータ及び前記スリーブの断面がほぼ一致している、請求項3に記載のカート。
【請求項５】
前記地面係合部品が車輪の形態である、請求項1に記載のカート。
【請求項６】
前記基部区画が二組の車輪を含み、一組の車輪が前記カートの前方角部に位置し、一組の車輪が前記カートの後方角部に位置している、請求項5に記載のカート。
【請求項７】
前記カートを操縦できるように、前記二組の車輪の少なくとも一方が枢動可能である、請求項6に記載のカート。
【請求項８】
前記アクチュエータが動作可能に使用するためのハンドル又はストラップを有する、請求項1に記載のカート。
【請求項９】
前記上部区画が四つの取外し可能な三角形のバッグを備える、請求項1に記載のカート。
【請求項１０】
前記基部区画が複数の内側接続部材及び複数の外側係止部材を含み、該内側接続部材が前記アクチュエータの下端部に接続され、前記カートが前記展開状態のとき、前記外側係止部材が正方形の周辺内に四つの三角形を作る、請求項1に記載のカート。
【請求項１１】
折畳み状態とカートの安定した基部を提供する展開状態との間で動くように適合された地面係合部品を備え、該地面係合部品が同期して動くように相互接続された、基部区画と、
前記基部区画の上方に接続可能に延在する上部区画と、
前記上部区画及び前記基部区画が同期した動きを有するように、前記上部区画及び前記基部区画の中間にある継手と、
動作可能に接続されたアクチュエータであって、該アクチュエータの運動によって前記地面係合部品が前記折畳み状態と前記展開状態との間で動く、アクチュエータとを備え、
前記基部区画及び前記上部区画が、前記継手を介して前記上部区画及び前記基部区画の間を動作可能に横断する細長い支持部材を含む、カート。
【請求項１２】
前記アクチュエータの運動によって前記細長い支持部材が前記継手を中心にして枢動して、前記地面係合部品が前記折畳み状態と前記展開状態との間で動く、請求項11に記載のカート。
【請求項１３】
前記継手が、前記細長い支持部材に対してその端部の中間で接続する枢動点を有する、請求項12に記載のカート。
【請求項１４】
前記継手がカラーの形態であり、前記枢動点がその周辺に位置し、それによって前記アクチュエータが前記カラーの中央を貫通することができる、請求項13に記載のカート。
【請求項１５】
前記カラーがほぼ正方形であり、前記正方形の各面が細長い支持部材に動作可能に接続する枢動点を含む、請求項14に記載のカート。
【請求項１６】
前記カートが、収納コンパートメント、トレイ、又はバッグを支持するのに使用される、請求項11に記載のカート。
【請求項１７】
前記上部区画及び前記基部区画の少なくとも一方が、前記収納コンパートメント、前記トレイ、若しくは前記バッグを取り付けるフック、隆起、又はチャネルを含む、請求項16に記載のカート。
【請求項１８】
前記フック、前記隆起、又は前記チャネルが前記細長い支持部材の上端部に位置する、請求項17に記載のカート。
【請求項１９】
前記収納コンパートメント、前記トレイ、又は前記バッグが取外し可能である、請求項16に記載のカート。
【請求項２０】
前記収納コンパートメント、前記トレイ、又は前記バッグが、複数の細長い支持部材によって提供される空間に合致する形状を有する、請求項16に記載のカート。
【請求項２１】
前記上部区画が、バッグの形状を保持する補強要素を備えた四つの取外し可能な素材のバッグを含み、
前記基部区画が、コンパートメント、トレイ、又はバッグなどの更なる保管媒体を含む設備を有する、請求項11に記載のカート。
【請求項２２】
折畳み状態とカートの安定した基部を提供する展開状態との間で動くように適合された地面係合部品を備え、該地面係合部品が同期して動くように相互接続された、基部区画と、
前記基部区画の上方に接続可能に延在する上部区画と、
前記上部区画及び前記基部区画が同期した動きを有するように、前記上部区画及び前記基部区画の中間にある継手と、
動作可能に接続されたアクチュエータであって、該アクチュエータの運動によって前記地面係合部品が前記折畳み状態と前記展開状態との間で動く、アクチュエータとを備え、
前記基部区画及び前記上部区画が、前記継手を介して該上部区画及び該基部区画の間を動作可能に横断する細長い支持部材を含み、前記基部区画が、
前記アクチュエータに動作可能に接続され、それによって前記アクチュエータのほぼ垂直の運動を前記地面係合部品又は前記細長い支持部材の少なくとも一つに伝達する、内側部材と、
前記地面係合部品に動作可能に接続する外側部材と、
前記地面係合部品を前記展開位置へと係止可能な係止メカニズムとを更に含み、
前記細長い支持部材、前記内側部材、及び前記アクチュエータの幾何学的組み合わせが三角形の構造を形成する、カート。
【請求項２３】
複数の内側部材と、複数の外側部材と、複数の細長い支持部材とを更に含み、前記複数の内側部材、前記複数の外側部材、及び前記複数の細長い支持部材と前記アクチュエータとの幾何学的配置が、前記継手を頂点とする四面体を形成する、請求項22に記載のカート。
【国際調査報告】
2012521923.tif 000018
2012521923.tif 000019
2012521923.tif 000020
2012521923.tif 000021